Podtech/llm-jp-corpus-v4-ja_patent huggingface dataset:
(57)【要約】【課題】  木屑およびバイオマスペレットの燃焼時に火炉のなかで生じるクリンカーの生成を抑制するロストルの提供。【解決手段】  火炉の炉床を構成するロストルにおいて、燃焼ガスや燃料の流れに対し、堰をなすような立ち上がり部を有し、ロストルの下部から多孔板1を通し吹き上がる燃焼空気５が堰を作るＬ字板1の天井部にぶつかり、床と平行な強い流れとして噴出し、火炉に供給される燃料ペレットをロストル上に均等に分散させるとともに、堰の前に溜まる燃料ペレット４を燃焼しながら、燃焼途中のペレットや生成する灰分を燃焼ガスの流れ６方向に沿って運ぶようＬ字板１を空気供給孔３の上に逆Ｌ字に取り付けた構造をもつロストル。【選択図】  図１
0003123836.tif 000002
【実用新案登録請求の範囲】
【請求項１】
木屑およびバイオマスペレットを燃料とする温風・温水・蒸気発生装置で、燃料を投入し、燃焼を行う火炉の炉床を構成するロストルにおいて、燃焼ガスや燃料の流れに対し、堰をなすような立ち上がり部を有し、ロストルの下部から多孔板（２）の空気供給孔（3）を通し吹き上がる燃焼空気（５）が堰を作るＬ字板（1）の天井部にぶつかり、床と平行な強い流れとして噴出し、火炉に供給される燃料ペレットをロストル上に均等に分散し、かつ、堰の前に溜まる燃料ペレット（４）を燃焼しながら、燃焼途中のペレットや生成する灰分を燃焼ガスの流れ（６）方向に沿って運ぶようＬ字板（１）を空気供給孔（３）の上に逆Ｌ字に取り付けた構造のロストル。
【請求項２】
前記装置における脱着自在な構造の請求項１記載のロストル。
【考案の詳細な説明】
【技術分野】
【０００１】
本考案は木屑およびバイオマスペレットを燃料とする温風・温水・蒸気発生装置において、燃料を炉床上でクリンカーを生じさせないよう燃焼するためのロストルの構造に関する。
【背景技術】
【０００２】
従来、木屑およびバイオマスペレットを燃料とする温風・温水・蒸気発生装置の燃焼室は燃焼室と一体で、平らなキャスタブルの炉床に燃料の旋回方向に燃焼空気が噴出すように穴をあけたもの（特許文献１参照）や、炉床面が水平で燃料の旋回方向斜め上方に燃焼空気が噴出すように傾斜を持つ脱着自在な固定火格子（特許文献２参照）からできている。
【特許文献１】実用新案登録第３０９９２２４号
【特許文献２】特願２００５−３３７６０１
【考案の開示】
【考案が解決しようとする課題】
【０００３】
炉床が水平な従来の燃焼室内では、燃料投入口近くや、下流の炉床上でたまたま燃料溜りができた箇所の空気供給孔出口近辺では、燃焼が激しくかつ、燃焼塊が移動しにくいため、過度の高温になり、燃料中の灰分と残炭分が混ざり合って固まった所謂クリンカーを生じやすい。
【０００４】
クリンカーが生じると燃焼室の清掃に時間が掛かるだけでなく、燃焼性がわるくなり、煤・一酸化炭素の生成が多くなる。また、装置の熱効率・耐久性も悪くなる。
【課題を解決するための手段】
【０００５】
図１のように燃焼室の炉床を構成するロストルを燃焼ガスや燃料の流れに対し、堰をなすような立ち上がり部を有し、空気供給孔３を覆うようにＬ字板１を多孔板２に取り付けた構造にする。
【０００６】
ロストルの下部の空気室から多孔板２の空気供給孔3を通し吹き上がる燃焼空気５が堰を作るＬ字板1の天井部にぶつかり、床と平行な強い流れとして噴出し、火炉に供給される燃料ペレットをロストル上に均等に分散し、かつ、堰の前に溜まる燃料ペレット４を燃焼しながら、燃焼途中のペレットや生成する灰分を燃焼ガスの流れ６方向に沿って運ぶ。
【考案の効果】
【０００７】
ロストルがＬ字板１で形成される小さな多数の堰をもつことは、堰の前に燃料ペレット４を小さく分散して保持することとなり、燃焼室内に燃料の大きな塊を作り難くなる。堰の前で小さな塊のまま、多孔板２の空気供給口３から供給される空気で燃焼すれば燃料の塊が過剰な高温になることもなく、クリンカーも出来にくい。これにより、保守点検頻度が下がるだけでなく、燃焼性もよいため、装置の熱効率は維持されやすく、耐久性もよくなる。
【考案を実施するための最良の形態】
【０００８】
以下、実施例を挙げて、本考案を更に詳細に説明する。
【実施例】
【０００９】
図２は本考案における、多孔板２の空気供給孔３の上にＬ字形状の長板１を逆Ｌ字型に溶接したロストルの例である。多孔板２の下の燃焼空気室から、空気供給孔３を通し吹き上がり、Ｌ字板１天井面にぶつかり、床と平行に強く吹き出す燃焼空気は、下流のＬ字板１で形成される堰の前に溜まる燃料ペレットをロストル上に均等に分散し、燃焼するとともに、燃焼途中で軽くなったペレットや生成する灰分を燃焼ガスとともに下流へと搬送する。
【００１０】
図３は波板７を適当な間隔で並べ、支持鋼８で固定した本考案のロストルの例である。波板の立ち上がり部が堰となり、図２と同様な原理で燃料ペレットを分散・燃焼させる。
【００１１】
図４は本考案を適用する装置の一例でペレット焚き温水発生器の断面図であり、火炉９の床面１４に本考案のロストルを用いる。
【００１２】
図５は図４の断面図でＡＢからの下方視野図であり、床面を半径方向に分割し、脱着可能な構造で本考案のロストルを乗せた図である。例の装置の火炉が円形であるため、図5のロストルは半径方向に分割しているが、分割方法や、配列を規定したものではない。
【図面の簡単な説明】
【００１３】
【図１】本考案ロストルの動作概念図である。
【図２】本考案ロストルにおける多孔板を使用した例の概念斜視図である。
【図３】本考案ロストルにおける波板を使用した例の概念斜視図である。
【図４】本考案のロストルを使用する一例である温水発生装置の概念図である。
【図５】温水発生装置ロストル部の一例の上面図である。
【符号の説明】
【００１４】
１      逆Ｌ字板
２      多孔板
３      空気供給孔
４      燃料ペレット
５      燃焼用空気
６      燃焼ガス
７      波板
８      支持鋼
９      火炉
１０    水管
１１    煙管
１２    燃焼空気導入口
１３    空気室
１４    ロストル
１５    給水口
１６    給湯口
１７    排ガス出口
１８    燃料供給口
２１    火炉点検口
２０    灰掻き出し口
２１    着火バーナ口
２２    保温材
【図１】
0003123836.tif 000003
【図２】
0003123836.tif 000004
【図３】
0003123836.tif 000005
【図４】
0003123836.tif 000006
【図５】
0003123836.tif 000007
(57)【要約】【課題】従来の野菜水切り機は、野菜の出し入れに手間が掛かり、容器が大きく台所では邪魔になるうえ高価であるためなかなか使用しずらい。【解決手段】内部に笊状のトレーを有する蓋付き密閉容器で上下に振るための取っ手を取り付ける。【選択図】図１
0003123831.tif 000002
【実用新案登録請求の範囲】
【請求項１】
内部に笊状のトレーを有する蓋付き密閉容器で、テニスラケットを振り下ろすようにするだけで軽く簡単に水切りが出来る取っ手を有する水切り容器。
【考案の詳細な説明】
【技術分野】
【０００１】
本考案は、野菜の水切りを簡単に効率よく安価で出来るものである。
【背景技術】
【０００２】
従来の野菜水切り機は、容器に蓋をしその蓋の中央にあるハンドルやモーターで中の笊を回し遠心力により水切りを行うものが多い。
【考案の開示】
【考案が解決しようとする課題】
【０００３】
従来の野菜水切り機は、野菜の出し入れに手間が掛かり、容器が大きく台所では邪魔になるうえ高価であるためなかなか使用しずらい。
【課題を解決するための手段】
【０００４】
内部に笊状のトレーを有する蓋付き密閉容器で上下に振るための取っ手を取り付ける。
【考案の効果】
【０００５】
基本構造を内部に笊状のトレーを有する蓋付き密閉容器を使用する為、安価で出来、テニスラケットを振り下ろすようにするだけで軽く簡単に水切りが出来る。
【考案を実施するための最良の形態】
【０００６】
底部の周囲に側壁を設けた容器本体に取っ手が付いており、その上面に密閉蓋を有する密閉容器と、この密閉容器内に収容される笊とからなり、取っ手を持ってテニスラケットを振り下ろすように水切りを行い、容器本体の底部内面及び側壁内面と笊との間に、水が溜まる空間を設けたことを特徴とする。
【実施例】
【０００７】
容器内に収容される笊に洗った野菜をいれ、密閉蓋を確実に閉じ、容器本体に付いている取っ手を持ってテニスラケットを振り下ろすように数回振れば簡単に水切りが行える。
【図面の簡単な説明】
【０００８】
【図１】本考案の実施例の密閉状態の斜視図である。
【図２】図１で示す本考案の実施例の密閉状態の部分断面図である。
【図３】図１で示す本考案の実施例の開口状態の斜視図である。
【符号の説明】
【０００９】
１  蓋体
２  摘まみ部
３  容器体
４  取っ手部
５  笊部
【図１】
0003123831.tif 000003
【図２】
0003123831.tif 000004
【図３】
0003123831.tif 000005
(57)【要約】      （修正有）【課題】ステンレススチールに匹敵する防錆性能を有する金属加工品の提供。【解決手段】安価で、溶接性に優れた鋼材２の表面に設けためっき層３の上に、めっき層３と強固に結合するシリコーンエポキシ樹脂の防錆被膜４を形成した。めっきはニッケルメッキ、又は、クロムめっきとなることが望ましく、自転車用荷籠等に有用である。【選択図】図２
0003123879.tif 000002
【実用新案登録請求の範囲】
【請求項１】
鋼材の表面に、めっきを施し、さらにその表面に、シリコーンエポキシ樹脂の防錆被膜を形成した金属加工品。
【請求項２】
上記めっきがニッケルめっき又はクロムめっきである請求項１記載の金属加工品。
【請求項３】
自転車用荷籠である請求項１又は２記載の金属加工品。
【考案の詳細な説明】
【技術分野】
【０００１】
この考案は、１８Ｃｒ−８Ｎｉに代表されるステンレススチールに匹敵する防錆皮膜を有する金属加工品に関するものである。
【背景技術】
【０００２】
防錆性能に優れた金属加工品の材料としては、１８Ｃｒ−８Ｎｉに代表されるステンレススチールがある。
上記ステンレススチールは、鋼材に比べ高価であり、また、鋼材よりも脆く、溶接性に問題がある。
【０００３】
一方、鋼材は、安価であり、溶接性も良好であるが、防錆性能に劣る。
鋼材の防錆性能を向上させる手段としては、鋼材表面に、めっきを施す方法や、樹脂被膜を形成する方法が一般的である。
【０００４】
さらに、鋼材の表面に、めっきを施し、そのめっきの表面にポリエチレンの樹脂被膜を形成して、防錆性能を向上させることも行われている。
【考案の開示】
【考案が解決しようとする課題】
【０００５】
ところが、上記めっき表面に、ポリエチレンの樹脂被膜を形成しても、使用環境によって、樹脂被膜が剥がれたり、欠けたりして、剥がれ部分から錆が進行しやすい。
【０００６】
その原因の一つには、めっき表面の樹脂被膜を形成する場合、めっきした後に、４００℃程度まで加熱した金属素材を、ポリエチレン樹脂の粉体層に挿入して、金属素材の表面にポリエチレン樹脂を溶着するという方法で形成しており、加熱の際に、めっき層にクラックが入り、めっき層自体が傷つけられるということがある。
【０００７】
また、めっきと樹脂被膜とは、単に摩擦力で密着しているだけであるから、結合力が弱く、樹脂被膜が剥離し易いとういことも防錆性能を悪くする原因の一つと考えられている。
【０００８】
そこで、この考案は、安価で、溶接性に優れた鋼材の表面に設けためっき層の上に、めっき層と強固に結合する樹脂被膜を形成することにより、ステンレススチールに匹敵する防錆性能を有する金属加工品を得ようとするものである。
【課題を解決するための手段】
【０００９】
この考案は、上記の課題を解決するために、鋼材の表面に、めっきを施し、さらにその表面に、シリコーンエポキシ樹脂の防錆被膜を形成したのである。
【００１０】
シリコーンエポキシ樹脂は、ヘキソン、ジケトンアルコール、３−オキソ酪酸メチルなどの有機成分を含む溶液で、この溶液中に含まれるケトンなどのＳｉ−Ｏ−Ｒ基が加水分解し、それによってできたＳｉ−Ｏ−Ｈ基が架橋成膜する。そして、架橋成膜の際に、めっき層の無機成分であるニッケルやクロムと反応し、めっき表面に、結合力の強い防錆被膜が形成される。
【００１１】
さらに、シリコーンエポキシ樹脂の基材となるエポキシ樹脂は、１５０℃〜２００℃の加熱により、短時間で強固な樹脂被膜を形成することができるので、めっき層自体が傷つけられるということがない。
【考案の効果】
【００１２】
以上のように、この考案によれば、鋼材の表面に、ニッケルめっき、あるいはクロムめっきを施し、さらにその表面に、シリコーンエポキシ樹脂の防錆被膜を形成することにより、１８Ｃｒ−８Ｎｉに代表されるステンレススチールに匹敵する防錆皮膜を有する金属加工品を得ることができる。
【考案を実施するための最良の形態】
【００１３】
図１は、この考案を自転車用荷籠１に用いた例を示している。
図１の自転車用荷籠１は、鋼線２を溶接することにより組立てられており、組立て後に、鋼線２表面に、めっき層３を設け、さらに、めっき層３の表面に、シリコーンエポキシ樹脂の防錆被膜４を設けている。
【００１４】
めっき層３としては、ニッケルめっき、クロムめっきあるいはニッケル−クロムめっきを使用することができる。
防錆被膜４は、ヘキソン、ジケトンアルコール、３−オキソ酪酸メチルなどの有機成分を含むシリコーンエポキシ樹脂溶液中に、めっきを施した自転車用荷籠を浸漬し、その後、１５０℃〜２００℃に加熱して、基材のエポキシ樹脂を硬化させることにより得られる。
【００１５】
次に、この考案に係る防錆被膜を有する自転車用荷籠の防錆性能を、めっきの耐食性試験方法  ＪＩＳ  Ｈ  ８５０２−１９９９のキャス試験により行った。
キャス試験の試験条件は、表１の通りであり、レイティングナンバ（Ｒ．Ｎ）標準図表による判定結果は、表２の通りである。
【００１６】
【表１】
0003123879.tif 000003
【００１７】
【表２】
0003123879.tif 000004
【００１８】
表２に示すとおり、この考案に係る防錆被膜を有する自転車用荷籠である試料Ｂ、Ｃは、試料Ａの１８Ｃｒ−８Ｎｉステンレススチール（ＳＵＳ３０４）製の自転車用荷籠に匹敵する防錆性能を示した。
【００１９】
この考案は、上記した自転車用荷籠以外にも自転車部品全般、さらに屋外で使用される自動車、自動二輪や建築金物、屋内の湿気が多い場所で使用される台所用品、日用品などに広く応用することができる。
【図面の簡単な説明】
【００２０】
【図１】この考案に係る自転車用荷籠を取り付けた自転車の側面図である。
【図２】この考案に係る自転車用荷籠の鋼線素材の拡大断面図である。
【符号の説明】
【００２１】
１  自転車用荷籠
２  鋼線
３  めっき層
４  防錆被膜
【図１】
0003123879.tif 000005
【図２】
0003123879.tif 000006
(57)【要約】【課題】市販の飲料のアルミ容器やアルミ箔やスズ箔ボール紙容器を利用してそれにコインのさしこみ孔を切り開いて銭だめ箱に使用可能とする様なナイフを提供する。【解決手段】金属片１を準備し、前端に尖端部１１を設け、尖端部１１に凹み溝２を形成させて、その上下縁に各尖った刃１２を作る。又この尖端部１１の両側面１０側はある長さを持たせ、その上下縁に各切り刃１３を形成させる。二個の尖った刃１２と二組の切り刃１３とで構成されるナイフは飲料容器の壁に差し込んでコインさしこみ孔を容易に切り開けることが可能である。未だ開封していない飲料アルミ容器やアルミ箔付き容器の壁に整ったコインさしこみ孔を容易に切り開くことが可能であり、容器の中の飲料を取り出して洗浄したら、容器はすぐ銭だめ箱になる。一般の人でも自分で銭だめ箱を作ることが可能である。【選択図】図１
0003123873.tif 000002
【実用新案登録請求の範囲】
【請求項１】
所定の厚みを持ち、前端には尖端部を持ち、前記尖端部は凹み溝を形成し且つ上下縁は各尖った刃を形成し、前記尖端部の左右両側面は後方に伸びる長さを持ち、前記両側両壁はその上下縁が各切り刃となっていることを特徴とするコインさしこみ孔あけ用のナイフ。
【考案の詳細な説明】
【技術分野】
【０００１】
本考案は、アルミやプラスチック製の飲料容器にコインをさしこめる孔を切り開けるナイフに関する。
【背景技術】
【０００２】
従来の銭だめ箱はアルミやプラスチックを材料にして工場で製造されてから小売商が販売していて、一般の飲料容器によく似ている。
【考案の開示】
【考案が解決しようとする課題】
【０００３】
しかしながら、一般の人はこれらの飲料容器にコインをさしこめる孔を切り開いて銭だめ箱にするのは難しいので、既製品を買うのが普通である。
したがって本考案の目的は一般市販の飲料のアルミ容器やアルミ箔やスズ箔ボール紙容器を利用してそれにコインのさしこみ孔を切り開いて銭だめ箱に使用可能とする様なナイフを提供することにある。
【課題を解決するための手段】
【０００４】
上述の目的を達成するために本考案の請求項に記載のコインさしこみ孔あけ用のナイフは、使用済み或いは未使用の飲料のアルミ容器やアルミ箔もしくはスズ箔付ボール紙容器を銭だめ箱として利用できるように、設計する。
適当な厚みの金属片を準備し、前端に尖端部を設け、この尖端部に凹み溝を形成させて、その上下縁に各尖った刃を作る。又この尖端部の両側面側はある長さを持たせ、その上下縁に各切り刃を形成させる。二個の尖った刃と二組の切り刃とで構成されるナイフは飲料容器の壁に差し込んでコインさしこみ孔を容易に切り開けることが可能である。
【考案を実施するための最良の形態】
【０００５】
以下、本考案の実施例を図面に基づいて説明する。
図１に示すように本実施例のコインさしこみ孔あけ用のナイフ１はある厚みを持つ片体で、前端に尖端部１１を持つ。尖端部１１の縁面に凹み溝２を形成させることで上下縁は各尖った刃１２となる。更に尖端部１１の両側面１０はある長さを持たせ、且つ両側面１０は各凹み溝２を形成し、尖端部１１の凹み溝２と連続し、上下縁が各一切り刃１３を形成している。ナイフ１は尖端部１１の二個の尖った刃１２と両側面壁１０の上下縁の四個の切り刃１３とを持って、飲料容器にコインさしこみ孔３１を容易に切り開けて銭だめ箱３に利用することが可能となる。
【０００６】
（考案の効果）
本考案による実施例は次に述べる効果がある。
１、未だ開封していない飲料アルミ容器やアルミ箔付き容器の壁に整ったコインさしこみ孔を容易に切り開くことが可能で、容器の中の飲料を取り出して洗浄したら、容器はすぐ銭だめ箱になる。
２、一般の人でも自分で銭だめ箱を作ることが可能である。
３、飲んだあと捨ててしまう飲料容器を利用可能なため資源回収となり、物資を節約可能である。
【図面の簡単な説明】
【０００７】
【図１】本考案の実施例によるコインさしこみ孔あけ用のナイフを示す斜視図である。
【図２】本考案の実施例によるコインさしこみ孔あけ用のナイフを示す前面図である。
【図３】図２の上面図である。
【図４】図２の左側面図である。
【図５】図２の右側面図である。
【図６】図２の中の６−６線による断面図である。
【図７】本考案の実施例によるコインさしこみ孔あけ用のナイフを使用して飲料容器にコインさしこみ孔を切り開けようとする時の斜視図である。
【図８】図７の飲料容器がコインさしこみ孔を切り開けられた状態を示す斜視図である。
【図９】本考案の実施例によるコインさしこみ孔あけ用のナイフを使用して別の飲料容器にコインさしこみ孔を切り開けようとする時の斜視図である。
【図１０】図９の飲料容器にコインさしこみ孔が切り開けられた状態を示す斜視図である。
【符号の説明】
【０００８】
１  ナイフ、２  凹み溝、３  銭だめ箱、１０  側面壁、１１  尖端部、１２  尖った刃、１３  切り刃、３１  コインさしこみ孔
【図１】
0003123873.tif 000003
【図２】
0003123873.tif 000004
【図３】
0003123873.tif 000005
【図４】
0003123873.tif 000006
【図５】
0003123873.tif 000007
【図６】
0003123873.tif 000008
【図７】
0003123873.tif 000009
【図８】
0003123873.tif 000010
【図９】
0003123873.tif 000011
【図１０】
0003123873.tif 000012
(57)【要約】      （修正有）【課題】優れた支持効果を備えた支持材を有する枕を提供する。【解決手段】所定の容積を有する外カバー１０と、該外カバー１０の内部に設けられる弾性支持材２０と、該弾性支持材２０と外カバー１０との上，下側間の少なくとも１方に設けた柔軟材３０とを有する枕であって、前記弾性支持材２０は、前後，左右に連接して配列された複数のスプリング２１を有する構成とし、枕の内部に複数のスプリングが設けられることにより枕の支持効果を向上させると共に、枕の変形を防止することができる。【選択図】図２
0003123867.tif 000002
【実用新案登録請求の範囲】
【請求項１】
所定の容積を有する外カバーと、該外カバーの内部に設けられる弾性支持材と、該弾性支持材と外カバーとの上，下側間の少なくとも一方に設けられた柔軟材とを有する枕であって、
前記弾性支持材は、前後，左右に配列された複数のスプリングを有することを特徴とする支持材を有する枕。
【請求項２】
前記各スプリングの外側を筒状の袋カバーで覆うと共に、各袋カバーが互いに連接されることにより、各スプリングを互いに連接させ、前記弾性支持材の外側に、更に網状カバーが設けられることを特徴とする請求項１に記載の支持材を有する枕。
【請求項３】
前記柔軟材は、二層であって、夫々前記弾性支持材の上側と下側に設けられ、この柔軟材は枕の柔軟性を向上するために綿又は羽毛の素材からなるものであることを特徴とする請求項２に記載の支持材を有する枕。
【考案の詳細な説明】
【技術分野】
【０００１】
本考案は、優れた支持効果を備えた支持材を有する枕に関するものである。
【背景技術】
【０００２】
現代人の中にはストレスから不眠症などにかかる人が少なくなく、現在、睡眠の質を如何にして向上させるかが大きな課題になっている。
【０００３】
一般に、睡眠時に頭部や頚部を支持するために使われる枕は、睡眠の質を左右するものとして非常に重要なものであり、枕の硬さや高さや柔軟度によって、使用者に対して様々な影響を与えることになる。
【考案の開示】
【考案が解決しようとする課題】
【０００４】
従来の枕は、布製のカバーの内部に綿や羽毛などの充填材を充填したものであるが、このような枕は長時間使用すると、該充填材の体積が圧縮されて、硬くなり、且つ枕の高さが低くなるため、快適性を提供し続けることができなくなるといった問題があった。
【０００５】
そこで、案出されたのが本考案であって、優れた支持効果を備えた支持材を有する枕を提供することを目的としている。
【課題を解決するための手段】
【０００６】
本願の請求項１の考案は、所定の容積を有する外カバーと、該外カバーの内部に設けられる弾性支持材と、該弾性支持材と外カバーとの上，下側間の少なくとも１方に設けられた柔軟材とを有する枕であって、前記弾性支持材は、前後，左右に配列された複数のスプリング２１を有することを特徴とする支持材を有する枕を提供する。
【０００７】
本願の請求項２の考案は、前記各スプリングの外側が筒状の袋カバーで覆われると共に、各袋カバーが互いに連接されることにより、各スプリングを互いに連接させ、該弾性支持材の外側に、更に網状カバーが設けられることを特徴とする請求項１に記載の支持材を有する枕を提供する。
【０００８】
本願の請求項３の考案は、前記柔軟材は、二層であって、夫々前記弾性支持材の上側と下側に設けられ、この柔軟材は枕の柔軟性を向上させるために綿又は羽毛の素材からなるものであることを特徴とする請求項２に記載の支持材を有する枕を提供する。
【考案の効果】
【０００９】
本考案は、上記の課題を解決するものであり、枕の内部に複数のスプリングが設けられることにより、枕の支持効果を向上させると共に、枕の変形を防止することができるので、睡眠の質を向上させることができる。
【考案を実施するための最良の形態】
【００１０】
以下、添付図面を参照して本考案の好適な実施の形態を詳細に説明する。
尚、下記実施例は、本考案の好適な実施の形態を示したものにすぎず、本考案の技術的範囲は、下記実施例そのものに何ら限定されるものではない。
【実施例】
【００１１】
図１は、本考案に係る支持材を有する枕を示す斜視図であり、図２は本考案に係る支持材を有する枕の一実施例を示す一部切欠き断面図であり、図３は本考案に係る支持材を有する枕の弾性支持材を示す斜視図であり、図４は本考案に係る支持材を有する枕の弾性支持材の内部構造を示す斜視図である。
【００１２】
図１及び図２に示すように、本考案に係る支持材を有する枕は、所定の容積を有する外カバー１０と、該外カバー１０の内部に設けられる弾性支持材２０と、該弾性支持材２０と外カバー１０との上側，下側間の少なくとも１方に設けられた柔軟材３０とを有する。この実施例にあっては、前記弾性支持材２０と外カバー１０との上側，下側間にそれぞれ柔軟材３０が設けられた構成となっている。
【００１３】
図３及び図４に示すように、前記弾性支持材２０は、前後，左右に（マトリクス状に）配列された複数のスプリング２１を有し、各スプリング２１の外側を筒状の袋カバー２２で覆うと共に、各袋カバー２２を互いに連接させることにより、各スプリング２１を互いに連接させる。又、前記弾性支持材２０の外側に、更に網状カバー２３が設けられている。
【００１４】
又、図２に示すように、前記柔軟材３０は、二層であって、夫々前記弾性支持材２０の上側と下側に設けられ、この柔軟材３０は枕の柔軟性を向上させるために綿や羽毛などの素材からなるものである。
【００１５】
本考案に係る支持材を有する枕は、使用する際に、該枕の内部にスプリング２１が内蔵される弾性支持材２０を備えているので、これらのスプリング２１の弾性回復力により、頭部に優れた支持効果を提供することができ、更に、弾性支持材２０と外カバー１０との上、下側間の少なくとも一方には優れた柔軟性を有する柔軟材３０が設けられているので、使用者に違和感を与えることなく、又、この枕を長時間使用しても、枕の形状が変形など問題を起こさないので、睡眠の質を向上させることができる。
【産業上の利用可能性】
【００１６】
本考案は上記の構成を有し、枕の内部に複数のスプリングが設けられることにより、枕の支持効果を向上させると共に、枕の変形を防止することができるので、睡眠の質を飛躍的に向上させることができる。
【図面の簡単な説明】
【００１７】
【図１】本考案に係る支持材を有する枕の実施例を示す斜視図である。
【図２】本考案に係る支持材を有する枕も実施例の一部切欠き断面である。
【図３】本考案に係る支持材を有する枕の実施例における弾性支持材を示す斜視図である。
【図４】本考案に係る支持材を有する枕の実施例における弾性支持材の内部構造を示す斜視図である。
【符号の説明】
【００１８】
１０        外カバー
２０        弾性支持材
２１        スプリング
２２        袋カバー
２３        網状カバー
３０        柔軟材
【図１】
0003123867.tif 000003
【図２】
0003123867.tif 000004
【図３】
0003123867.tif 000005
【図４】
0003123867.tif 000006
(57)【要約】【課題】本考案は、パーソナルコンピューターのキーボード上で、伝票記入が可能な台を提供する。【解決手段】パーソナルコンピューターのキーボード上に、載置可能な台であって、伝票をのせる透明な水平板状部分と、その両側に垂直な足部分を取り付け脚部下端に滑り止めカバーを取り付ける。【選択図】  図１
0003123868.tif 000002
【実用新案登録請求の範囲】
【請求項１】
パーソナルコンピューターのキーボード上に載置可能であって、伝票をのせる透明な
水平板状部分と、その両側に垂直な脚部分を取り付け、脚部下端にすべり止めカバーを取り付けたことを特長とする、パーソナルコンピューター用伝票記入台。
【考案の詳細な説明】
【技術分野】
【０００１】
本考案は、パーソナルコンピューターなどのキーボードを使用しながら、伝票記入を
する時に使用する、パーソナルコンピューター用安定伝票台に関するものである。
【背景技術】
【０００２】
パーソナルコンピューターのキーボードを使用していて、伝票を記入する際に、キー
ボード自体を動かし、スペースをつくったりするのが一般的であった。キーボードの手
前のわずかなスペースで、安定性の欠ける記入をしなければならなかった。
【考案の開示】
【考案が解決しようとする課題】
【０００３】
本考案は、前記した従来の問題点を取り除き、安定して伝票記入ができるようになる
よう考えられたパーソナルコンピューター用安定伝票台を提供することを課題とする。
【課題を解決するための手段】
【０００４】
上記目的を達成するために、本考案者は種々研究を重ねた結果パーソナルコンピュー
ターの、キーボード上に載置可能であって、伝票をのせる透明な水平板状部分と、その
両側に垂直な足部分を取り付け、脚部下端にすべり止めカバーを取り付けたことを特長
とする、パーソナルコンピューター用安定伝票台が有効であることを知見し、本考案を
完成するに至った。
【０００５】
本考案は、以上のような構造であるので、これを使用するときはパーソナルコンピュー
ターのキーボードの上に被せるようにパーソナルコンピューター用安定伝票記入台を設置する。これにより、パーソナルコンピューター用安定伝票記入台はキーボードの上に保持
されるが、透明樹脂で形成されているので、キーボードも見ながら、且つ、使用しながら
伝票記入を行うことができる。さらに、すべり止めの効果で安定した伝票記入ができる。
【考案の効果】
【０００６】
本考案はこのような構造および作用であるから、本考案を利用すれば何の支障もなく、
伝票記入台を設置した状態でキーボードが使用でき、且つ安定した伝票記入が行えるよう
になる。また、本考案によれば、設置しておくだけで伝票を記入する際のスペースを作る
動作を、省略できるので、作業の効率を著しく向上させることができるので有用である。
【実施例】
【０００７】
パーソナルコンピューターのキーボードの上面から見てディスプレイ側より手前最大で
奥行き１２センチから３０センチまで無色又は有色透明樹脂で成形し、手が入る高さ、１０センチより１３センチの板の脚部分に合成樹脂で形成された、すべりを止めるカバーを設けた安定性の有するパーソナルコンピューター用伝票記入台。
【図面の簡単な説明】
【０００８】
【図１】本考案の斜視図
【図２】本考案の正面図
【図３】本考案をキーボードの上に設置した状態の斜視図
【図４】本考案によって、伝票を載せて記入台を使用する状態の斜視図
【符号の説明】
【０００９】
１      伝票記入台            
１−１  伝票記入台右脚
１−２  伝票記入台左脚
２      すべり止めカバー
３      パソコンキーボード
３−１  パソコンディスプレイ
４      伝票
【図１】
0003123868.tif 000003
【図２】
0003123868.tif 000004
【図３】
0003123868.tif 000005
【図４】
0003123868.tif 000006
(57)【要約】【課題】従来の彫刻型ウェルカムボードは本体へ直接ユーザー毎の情報を彫刻施工する為、一度施工されたデザインは変更できずユーザーの使用方法に制限をもたらしていた。又、製作者においても再利用ができない為、レンタルという販売形態を設定できない。本考案はそれらの不都合を解消するものである。【解決手段】１枚の彫刻型ウェルカムボードの構成を２枚の鏡、ガラス板へそれぞれ彫刻施工し組み合わせることにより、ユーザーはオリジナル箇所のみを差し替えることで結婚式後も様々な状況下で応用利用できる。又、製作者においてもオリジナル箇所のみをユーザー毎に差し替えることでウェルカムボード本体を再利用できる為、レンタルという販売形態を設定可能とする。【選択図】図２
0003123893.tif 000002
【実用新案登録請求の範囲】
【請求項１】
予めサンドブラスト技法、レーザー彫刻により彫刻施工された鏡又はガラス板を基本パーツとし、そのパーツ上へ透明ガラス板又は透明アクリル板へデザインや文字等を上記手法にて彫刻施工したオリジナルパーツを重ね合わせ、既成額にはめ込むことで１つのウェルカムボードとする。２つのパーツに分割することでオーダーメイドでありながら容易にデザインの変更や差し替えが可能となるウェルカムボード。
【請求項２】
請求項１のウェルカムボードにおいて、オリジナルパーツ部のみを変更又は差し替えすることにより、オーダーメイドでありながらレンタルという販売形態を可能としたウェルカムボード。
【考案の詳細な説明】
【技術分野】
【０００１】本考案は結婚式やイベントの際、会場入り口付近にて参加者や来客への歓迎する為の彫刻型ウェルカムボードに関するものである。
【背景技術】
【０００２】近年、結婚式等で使用されるウェルカムボード。中でも鏡やガラス板へ彫刻施工し既成額にはめ込むタイプのものは、その高級感から多くのユーザーから支持されており、定番商品として浸透しつつある。デザインや文字内容をユーザーの所望するものを彫る為オーダーメイド品となる。
【考案の開示】
【考案が解決しようとする課題】
【０００３】鏡やガラス板への彫刻するタイプのウェルカムボードは、直接１枚の鏡やガラス板にデザインや名前、日付等の情報を彫り込むことにより、その製品は必然的にオーダーメイド製品となる。その為、製作者はユーザーへ販売提供するしかなく納期が延びる。またユーザーにとっても非日常的な商品を買い取るしか選択肢が無く、価格においても反映されている。そして挙式等で使用後にはデザインの変更や文字内容の変更もできない為に応用が利かない。
【課題を解決するための手段】
【０００４】１枚のウェルカムボードの彫刻面を２つのパーツに分割し、それぞれのパーツへ彫刻加工を施す。基本となるパーツへ基礎デザインや文字を彫刻し、さらにオリジナルパーツとしてユーザー各々のデザインや文字を彫刻したものを重ねる。これによりユーザーは、結婚式等で使用後もオリジナルパーツ部のみを差し替えることで自由にデザインの変更することが可能となり、ウェルカムボードの使用方法にも拡がりができる。また、製作者においても基本パーツを事前に作成しておく事が可能となり納期短縮に繋がる。
【考案の効果】
【０００５】１枚の彫刻型ウェルカムボードの構成を２枚の鏡、ガラス板にそれぞれ彫刻施工し組み合わせることにより、ユーザーはオリジナル箇所のみを差し替えることで結婚式後も様々な状況下で使用できる。また、製作者においても基本パーツを事前に作成しておくことが可能となり制作期間を大幅に短縮できる。そして、オリジナル箇所のみをユーザーごとに差し替えることで、オーダーメイドでありながらレンタルという販売形式を設定できる。レンタルという販売形式を設けることにより、ユーザーは結婚式後の使用目的に応じて買取るかレンタルするかを選択することができ、価格においても反映される。
【考案を実施するための最良の形態】
【０００６】第２図に示すように、ウェルカムボード本体Ａの構成を透明ガラス（又は透明アクリル板）２と、鏡（又はガラス板、アクリル板）１に分割し重ね合わす。【０００７】第２図に示すように、鏡（又はガラス板、アクリル板）１を基本パーツとし基礎デザインを彫刻する。そして上記パーツと既成額３の間にオリジナルパーツとして名前や日付等を彫刻した透明ガラス（又は透明アクリル板）２を挟み込み、押さえ蓋５を重ねてとめ具４で固定する。【０００８】第１図及び第２図に示すように、透明ガラス（又は透明アクリル板）２に彫刻したオリジナルパーツ部と鏡（又はガラス板、アクリル板）１を重ね合わすことで１つのウェルカムボード本体Ａとする為、表面上は従来の１枚構成の彫刻型ウェルカムボードと全く変わらない。また、上記オリジナルパーツ部のみを差し替えることで、ウェルカムボード本体Ａの内容を容易に変更することが可能となる。
【図面の簡単な説明】
【０００９】
【図１】本考案に係わるウェルカムボードの正面図である。
【図２】図１におけるＩＩ−ＩＩ線断面図である。
【符号の説明】
【００１０】Ａ…ウェルカムボード本体
１…鏡（又はガラス板、アクリル板）
２…透明ガラス板（又は透明アクリル板）
３…既成額
４…止め具
５…押さえ蓋
【図１】
0003123893.tif 000003
【図２】
0003123893.tif 000004
【手続補正書】
【提出日】平成17年11月25日(2005.11.25)
【手続補正１】
【補正対象書類名】実用新案登録請求の範囲
【補正対象項目名】全文
【補正方法】変更
【補正の内容】
【実用新案登録請求の範囲】
【請求項１】
予めサンドブラスト技法、レーザー彫刻により彫刻された鏡又はガラス板を基本パーツとし、その面上へ透明ガラス板又は透明アクリル板へデザインや文字等を上記手法にて彫刻施工したオリジナルパーツを重ね合わせ、既成額にはめ込むことで１つのウェルカムボードを形成する。
【手続補正書】
【提出日】平成18年4月21日(2006.4.21)
【手続補正１】
【補正対象書類名】実用新案登録請求の範囲
【補正対象項目名】全文
【補正方法】変更
【補正の内容】
【実用新案登録請求の範囲】
【請求項１】
鏡又はガラス板へサンドブラスト技法、レーザー彫刻にて彫刻施工した基礎パーツの面上に、透明ガラス板、アクリル板へ絵柄や文字等を上記手法にて彫刻施工したオリジナルパーツを重ね、既成額にはめ込み形成されたウェルカムボード。
(57)【要約】【課題】身長の高さや体格の良い人向きであったバスケットボールを小柄な日本人でも楽しめるようにし、更に今までには無かった小柄な体型を生かしたトリッキーなプレイ、派手なプレイが出来るようにする【解決手段】高さが２４０ｃｍ以下で練習用では無く公式戦同等の強度を持ったゴールにバックボードとリングを裏表２面取り付ける、コートのエンドラインもしくは移動用ゴールに駆け上がるためのバンクを取り付ける、コートサイズはプレイ人数や場所により公式サイズより狭いコートを設定する【選択図】  図１
0003123894.tif 000002
【実用新案登録請求の範囲】
【請求項１】
コート（設置面）からリングまでの高さが２４０ｃｍ以下のバスケットゴールで、公式戦で使用されるゴールと同等の強度を持たせたゴール
【請求項２】
裏表２面式のバックボード、リング
【請求項３】
サイドライン２８ｍ以下、エンドライン１５ｍ以下のコート設定
【請求項４】
バンク付きエンドライン
【請求項５】
バンク付きゴールポスト
【考案の詳細な説明】
【技術分野】
【０００１】本考案はスポーツ  バスケットボールを小柄な日本人の体型に合わせるためのコート、用具に関する考案である
【考案の開示】
【考案が解決しようとする課題】
【０００２】従来のバスケットゴールの高さやコートの広さでは、体格の小柄な人間だとバスケットボールの醍醐味であるダンクシュートなどリングに手が届くような派手なプレイが出来ない
【課題を解決するための手段】
【０００３】上記課題目的を解決するために、高さの低い２４０ｃｍ以下の公式戦用ゴール、プレイ人数に合わせた狭いコートの設定、更にバンク付きのエンドラインまたは移動用のゴールへのバンク取り付け、裏表２面バックボード、リング等の用具を考案
【考案の効果】
【０００４】日本人のような小柄な人種でも全米プロバスケットボールのような派手なプレイが出来るようになる、更にバンク付きエンドラインや２面バックボードでよりトリッキーなプレイをプレイヤー、観客共に従来のバスケットボール以上に楽しめるようになり、バスケットボール人口の増加、大会の開催に繋がる
【図面の簡単な説明】
【０００５】
【図１】移動用ゴールを上斜後ろから見た図
【図２】移動用ゴールを真横から見た図
【図３】バンク付きコートを斜上から見た図
【符号の説明】
【０００６】１  裏表２面バックボード、リング
２  移動用ゴールバンク部
３  コートバンク部
４  ａからｂの高さ２４０ｃｍ以下
５  ｃからｄの長さ１５ｍまたはそれ以下
６  ｄからｅの長さ２８ｍまたはそれ以下
【図１】
0003123894.tif 000003
【図２】
0003123894.tif 000004
【図３】
0003123894.tif 000005
【手続補正書】
【提出日】平成17年12月16日(2005.12.16)
【手続補正１】
【補正対象書類名】実用新案登録請求の範囲
【補正対象項目名】全文
【補正方法】変更
【補正の内容】
【実用新案登録請求の範囲】
【請求項１】
バックボードの裏表両面にリングを設けたことを特徴とするバスケットゴール。
【請求項２】
エンドラインにバンクを設けたことを特徴とするバスケットコート。
【請求項３】
バスケットゴールの下方にバンクを設けたことを特徴とするバスケットゴール。
【手続補正２】
【補正対象書類名】明細書
【補正対象項目名】０００３
【補正方法】変更
【補正の内容】
【０００３】  上記課題を解決するためにエンドラインへのバンクの取り付け、バックボードの裏表両面へリングを設けたことを特徴とするバスケットボール用具の考案。
【手続補正書】
【提出日】平成18年2月26日(2006.2.26)
【手続補正１】
【補正対象書類名】実用新案登録請求の範囲
【補正対象項目名】全文
【補正方法】変更
【補正の内容】
【実用新案登録請求の範囲】
【請求項１】
バックボードの裏表両面にリングを設けたことを特徴とするバスケットゴール。
【請求項２】
バスケットゴールの下方にバンクを設け、請求項１記載の裏表両面バックボードへ駆け上がりシュートする事を可能にした，２面バックボードとバンクを特徴とする請求項１記載のバスケットゴール。
(57)【要約】      （修正有）【課題】本来のジュエリーは、おしゃれのためにデザインや製作されているが、これは思い出のジュエリーとして製作する事を目的としている。【解決手段】骨が納められるように、デザインをおこし製作する。ジュエリーに骨を納め、いつでも身に付けていられるようにする。【選択図】図２
0003123896.tif 000002
【実用新案登録請求の範囲】
【請求項１】
デザインの形状とリング、ペンダント、キーホルダーと骨と水晶の組み合わせ
【考案の詳細な説明】
【技術分野】
【０００１】本考案は、ペットの骨をリングやペンダト、キーホルダーの中に入れて水晶をかぶせ、身に付けられるようにする
【背景技術】
【０００２】従来のジュエリーは骨との組み合わせはしないため、骨を納められない
【考案の開示】
【考案が解決しようとする課題】
【０００３】ペットの骨をジュエリーの中に納め、いつも身に付けられるようにする
【課題を解決するための手段】
【０００４】リングやペンダントにくぼみを作り骨が納められるように製作する
【考案の効果】
【０００５】よって、家族同様に過ごしたペットの思い出として、いつも身に付けていられるジュエリーを作る事ができる
【考案を実施するための最良の形態】
【０００６】本考案に係るジュエリーは、図１のように骨を納められる窪みを作っている。そして窪みに骨を納め、上から水晶をかぶせ蓋をするような状態にする。水晶を使用する事によって、持ち主が中の骨が見られるようにする。
【図面の簡単な説明】
【０００７】
【図１】本考案に係るリングの構造
【図２】本考案に係るペンダントの構造
【図３】本考案に係るキーホルダーの構造
【図１】
0003123896.tif 000003
【図２】
0003123896.tif 000004
【図３】
0003123896.tif 000005
【手続補正書】
【提出日】平成18年2月20日(2006.2.20)
【手続補正１】
【補正対象書類名】実用新案登録請求の範囲
【補正対象項目名】全文
【補正方法】変更
【補正の内容】
【実用新案登録請求の範囲】
【請求項１】
デザインの形状とリング、ペンダント、キーホルダーとペットの骨を中に組み込み水晶をかぶせて組み合わせをしたアクセサリー
【手続補正書】
【提出日】平成18年4月26日(2006.4.26)
【手続補正１】
【補正対象書類名】実用新案登録請求の範囲
【補正対象項目名】全文
【補正方法】変更
【補正の内容】
【実用新案登録請求の範囲】
【請求項１】
ペットの骨を、リングやペンダント、キーホルダーの中に入れて水晶をかぶせたアクセサリー
(57)【要約】      （修正有）【課題】全身を雨水から守り雨のゆうつな日も安全で快適に行動出来るようにする。【解決手段】雨よけや見通しの良い透明な窓を付け、手からの冷えが無いようにカバーし、且つ裾の部分もめくれず濡れないよう工夫がしてある。合羽の構造もたっぷりと余裕があるのでリュックを背負えて、荷物も雨から守れて役に立つ。【選択図】図１
0003123897.tif 000002
【実用新案登録請求の範囲】
【請求項１】
雨の日自転車に乗った時、雨水から全身を守る雨合羽。帽子に雨よけの囲い布付。
手の部分は冷えないように手袋風カバーを付。裾の部分はすっぽり足首までかくれ、ぬれないように軽くすぼめてある雨合羽。
基本的には一日中自転車で利用者宅を訪問し移動しているヘルパーの為の雨合羽。
【考案の詳細な説明】
【技術分野】
【０００１】本考案は、全身を雨水から守る雨合羽である。
【背景技術】
【０００２】従来の雨合羽は、顔・手が濡れる。裾などはめくれ下半身も上下の上のみ使用すると濡れる。
また、ズボンなども蒸れるし、縫い目から雨水がしみて衣服が濡れる。
【考案の開示】
【考案が解決しようとする課題】
【０００３】顔・手・下半身が濡れる。着ている衣服も濡れたり蒸れるので不快である。
従って、全身包囲の形にすると雨の日も安心且つ快適になる。
【課題を解決するための手段】
【０００４】本考案は、基本的にはこれから増えるであろう介護ヘルパーを対象とする雨合羽である。
一日に数件の利用者宅を訪問するヘルパーは雨で濡れた雨合羽を何度も着脱する。
移動手段が自転車の為、安全且つ快適になるもの。
帽子の部分はヘルパーには必需品であるサンバイザーを収める袋が有り、帽子をサンバイザーごとかぶると雨よけになる。また両端が透明になっており見通しも良く、頬と口元辺りは軽くゴムで固定した状態になってある。手の部分は素手だと長時間の移動は冷える、従ってすっぽり手を包むように棒手袋風にしてある。
ただし、親指のみは素である。ブレーキとハンドルをしっかりにぎれるように外気にふれるようにしたもの。
下半身部分は、足首まで合羽を長くしてある。下の裾は、軽くゴムですぼめる。
それによって自転車に乗った場合、強風や足の動きで裾がめくれたりすることがない。
合羽の形が逆三角なので合羽の中に空気が入り風通しも良く、布にも余裕があり蒸れる心配はない。
【考案の効果】
【０００５】  上述の様に本考案の全身包囲雨合羽は、全身を雨水から守る他に構造に余裕があるのでリュックなども背負う事が出来荷物も濡れる事もない。
また、冬などは厚着をしても合羽を着ることが出来る。
また、着脱も簡単で時間に無駄がない。
【考案の実施するための最良の形態】
【０００６】  本考案の合羽は、構造が逆三角になってるので合羽の中での身動きが自由になる。
その為合羽にはポケットをあえて付けず、手を楽に内側へ入れ衣服のポケットの物等もスムーズに出入りできる
また、ポケットを付けても水がたまり、縫い目から内側に雨水が入り衣服が濡れるのでポケットは必要ない。
着脱の際、チャックが腰の辺りまであり、大きく開閉出来、着脱が楽で時間に無駄がない。
裾は軽くすぼめるようにゴムを使用。多少重みのあるゴムを使い、裾がめくれる事を防止する。
【実施例】
【０００７】  以下、添付図面に従って一実施例を説明する。
▲１▼雨よけ用に内側にサンバイザーのツバを収める袋
▲２▼左右の見通しを良くする為透明プラスチックを付ける。
▲３▼頬を口元の部分に伸縮のゴムで軽く固定する
▲４▼チャックが腰まであり、着脱が簡単
▲５▼親指以外はカバーしてある。手の甲に円を描くように軽くゴムで整える
▲６▼下の裾は多少太めで重みのあるゴムを使用。裾がずり上がらないようにめくれないようにすぼめる。
▲７▼全体が逆三角の形にする。リュックが背負えて、厚着も出来る。
【産業上の利用可能性】
【０００８】１は、内側にサンバイザーのつばを収める袋がありつばを収めた時点で。しっかりした雨よけになる。
４は、３の口あてのところからチャックがはじまり腰の下あたりまでつづき、着脱が楽である。
５は、手をカバーするため棒状の手袋になってあり内側に手をすぼめやすい様に手袋もすこし余裕がある。
【図面の簡単な説明】
【０００９】
【図１】本考案の横向き全身包囲雨合羽である。
【図２】全身包囲雨合羽の前向き全体図である。
【符号の説明】
【０００１０】▲１▼雨よけ
▲２▼見通し窓
▲３▼口あて
▲４▼チャック
▲５▼ハンドカバー袋
▲６▼ゴム裾
▲７▼全身
【図１】
0003123897.tif 000003
【図２】
0003123897.tif 000004
【手続補正書】
【提出日】平成18年3月10日(2006.3.10)
【手続補正１】
【補正対象書類名】実用新案登録請求の範囲
【補正対象項目名】全文
【補正方法】変更
【補正の内容】
【実用新案登録請求の範囲】
【請求項１】
雨合羽において、頭部前方部分にサンバイザーの先のツバを差し込む袋を設け雨よけにし、袖先の手の部分を手袋風にした雨合羽である。
(57)【要約】      （修正有）【課題】帳簿組織や財務諸表の雛形の基本の概要を習得する苦労を緩和する。。【解決手段】ジグソーパズルで楽しく視覚的・触覚的に体得させる。【選択図】図１
0003123895.tif 000002
【実用新案登録請求の範囲】
【請求項１】
貸借対照表、損益計算書、キャッシュ・フロー計算書、仕訳帳、元帳など、すべての会計帳簿組織に関する基本的構造から詳細な勘定科目に至るまで、これを学習するための財務諸表の雛型のジグソーパズル。
【請求項２】
財務諸表雛型ジグソーパズルにおいて、必要に応じて、ピースの裏面に、ピースの表面に関する勘定科目の説明が記されていること。
【考案の詳細な説明】
【技術分野】
【０００１】  本考案は、簿記・会計の学習・教育を支援・補助するためのジグソーパズルである。
【背景技術】
【０００２】  本考案の背景にある技術は、正規の簿記の原則によって作成される仕訳帳、元帳、精算表、貸借対照表、損益計算書、キャッシュフロー計算書などの会計帳簿のすべてである。
【考案の開示】
【考案が解決しようとする課題】
【０００３】  本考案は、簿記・会計（会計帳簿における基本的な雛形から、詳細な勘定科目に至るまで）を学習するために、伝統的に用いられてきた、手書きによって帳簿作成（簿記一巡）の練習を機械的にコツコツと積み重ねなければならないという学習者の労苦である。
【課題を解決するための手段】
【０００４】  本考案は、雛型のジグソーパズルを通じて視覚のみならず触覚にも訴えることで、従来の簿記・会計分野における学習者の労苦を緩和させるものである。
【考案の効果】
【０００５】  本考案により、簿記・会計に関する従来からの手書き作業を中心とする学習方法に加えて、学習者が、ピースの裏面に記されている勘定科目（図２参照）の解説を読んで学習しつつ、ジグソーパズルの組み立てを楽しむことにより、雛形の全体像を体得することができる。その結果、学習者は、従来からの学習方法と相乗効果的に学習することができ、伝統的な手書き作業の学習方法において頻繁に生じていた苦労を緩和することができる。
【考案を実施するための最良の形態】
【０００６】  本考案の利用に際して、学習者は、会計帳簿の基本的な雛型から徐々に上級レベルの雛型へと進むのが望ましい。ただし、簿記のまったくの入門者に、いきなりジグソーパズルを手にさせて雛型に馴染ませることによってでも一定の学習効果が見込めるし、あるいは、手書き作業による学習中につまずいたとき、また、単なる気分転換としても、既存の学習者の簿記・会計に関する学習効果を期待できる。
【図面の簡単な説明】
【０００７】
【図１】  すべてのピースが収まった状態の貸借対照表雛型の平面図の一例である。
【図２】  勘定科目の説明が施されているピース（裏面）の平面図の一例である。
【図１】
0003123895.tif 000003
【図２】
0003123895.tif 000004
【手続補正書】
【提出日】平成17年12月28日(2005.12.28)
【手続補正１】
【補正対象書類名】実用新案登録請求の範囲
【補正対象項目名】全文
【補正方法】変更
【補正の内容】
【実用新案登録請求の範囲】
【請求項１】
ジグソーパズルの各ピースの表面に、財務諸表の雛形の一部が印刷されたものであって、ジグソーパズルを完成させることにより前記財務諸表の雛形が完成する。
【手続補正書】
【提出日】平成18年3月10日(2006.3.10)
【手続補正１】
【補正対象書類名】実用新案登録請求の範囲
【補正対象項目名】全文
【補正方法】変更
【補正の内容】
【実用新案登録請求の範囲】
【請求項１】
ジグソーパズルの各ピースの表面に、財務諸表の雛形の一部が印刷されたものであって、ジグソーパズルを完成させることにより前記財務諸表の雛形が完成するシグソーパズル。